(57)【要約】【課題】傷みが生じないように靴の全体つまり外、中および裏側を満遍なく洗浄でき、コンパクト化を図れる靴洗浄装置を提供する。【解決手段】靴洗浄装置１は、靴Ｓを収納する収納室３と、収納室３内において靴Ｓを、その靴底ＳＺが上側Ｚ１を向いた横向きの姿勢で保持する保持部５と、鉛直に延びる回転軸線Ｊまわりに回転し、収納室３内において靴Ｓよりも下側Ｚ２に配置される回転部材３７と、回転部材３７に設けられ、収納室３内の靴Ｓに洗浄液を噴射する第１ノズル７Ａとを含む。【選択図】図１
2017221503.tif 000002
【特許請求の範囲】
【請求項１】
靴を収納する収納室と、
前記収納室内において、靴を、その靴底が上側を向いた横向きの姿勢で保持する保持部と、
鉛直に延びる回転軸線まわりに回転し、前記収納室内において靴よりも下側に配置される回転部材と、
前記回転部材に設けられ、前記収納室内の靴に洗浄液を噴射する第１ノズルとを含む、靴洗浄装置。
【請求項２】
前記収納室内において前記回転部材から靴の靴底よりも上側まで延び、前記回転部材と一体回転可能な延設部と、
前記延設部において靴底よりも上側の部分に設けられ、靴底に洗浄液を噴射する第２ノズルとをさらに含む、請求項１に記載の靴洗浄装置。
【請求項３】
前記第２ノズルは、複数設けられ、
前記第２ノズルの位置および洗浄液の噴射角度は、前記第２ノズル毎に異なる、請求項２に記載の靴洗浄装置。
【請求項４】
前記収納室内において靴と前記回転部材との間に設けられ、前記収納室を、靴が配置される上空間と、前記回転部材が配置される下空間とに仕切る格子状の仕切部材をさらに含む、請求項１〜３のいずれか一項に記載の靴洗浄装置。
【請求項５】
洗浄液に用いられる洗剤は、界面活性剤を１０質量％以下の割合で含む、請求項１〜４のいずれか一項に記載の靴洗浄装置。
【発明の詳細な説明】
【技術分野】
【０００１】
この発明は、靴洗浄装置に関する。
【背景技術】
【０００２】
下記特許文献１で開示された靴洗浄機では、外槽内に配置された内槽の底部中央に、上下に延びる回転軸が回転自在に設けられる。回転軸の下部には、円形のヨク（いわゆるパルセータ）が一体的に設けられる。回転軸の周側面には、内槽の内面近くまで横向きの突出する主ブラシが上下に亘って設けられ、ヨク上には上向きに突出する補助ブラシが設けられる。内槽に給水されて靴が回転軸と内槽の内面との間に入れられた状態で回転軸が反転すると、この靴は、主ブラシおよび補助ブラシに擦られることによって洗われる。
【先行技術文献】
【特許文献】
【０００３】
【特許文献１】実開昭６２−１２０９５６号公報
【発明の概要】
【発明が解決しようとする課題】
【０００４】
特許文献１のように靴をブラシで擦って洗う場合には、靴の生地に傷みが生じる虞がある。また、靴の外面において同じ箇所ばかりがブラシによって擦られるのであれば、靴の外面を満遍なく洗浄することが困難である。また、ブラシは靴の内側まで届きにくいので、靴の内側を十分に洗浄することも困難である。また、靴洗浄装置のコンパクト化は常に求められる。
【０００５】
この発明は、かかる背景のもとでなされたもので、傷みが生じないように靴の全体つまり外、中および裏側を満遍なく洗浄でき、コンパクト化を図れる靴洗浄装置を提供することを目的とする。
【課題を解決するための手段】
【０００６】
本発明は、靴を収納する収納室と、前記収納室内において、靴を、その靴底が上側を向いた横向きの姿勢で保持する保持部と、鉛直に延びる回転軸線まわりに回転し、前記収納室内において靴よりも下側に配置される回転部材と、前記回転部材に設けられ、前記収納室内の靴に洗浄液を噴射する第１ノズルとを含む、靴洗浄装置である。
【０００７】
また、本発明は、前記収納室内において前記回転部材から靴の靴底よりも上側まで延び、前記回転部材と一体回転可能な延設部と、前記延設部において靴底よりも上側の部分に設けられ、靴底に洗浄液を噴射する第２ノズルとをさらに含むことを特徴とする。
【０００８】
また、本発明は、前記第２ノズルは、複数設けられ、前記第２ノズルの位置および洗浄液の噴射角度は、前記第２ノズル毎に異なることを特徴とする。
【０００９】
また、本発明は、前記収納室内において靴と前記回転部材との間に設けられ、前記収納室を、靴が配置される上空間と、前記回転部材が配置される下空間とに仕切る格子状の仕切部材をさらに含むことを特徴とする。
【００１０】
また、本発明は、洗浄液に用いられる洗剤は、界面活性剤を１０質量％以下の割合で含むことを特徴とする。
【発明の効果】
【００１１】
本発明によれば、靴洗浄装置では、保持部が、収納室内の靴を、靴底が上側を向き、足の甲を覆うアッパ部とはき口とが下側を向いた横向きの姿勢で保持する。そのため、靴が縦向きの姿勢で保持される場合と比べて収納室の高さ寸法を小さく抑えることができるので、靴洗浄装置全体のコンパクト化を図れる。
また、収納室内において靴よりも下側に配置される回転部材が、鉛直に延びる回転軸線まわりに回転し、回転部材に設けられた第１ノズルが、回転部材と一体回転しながら、収納室内の靴に洗浄液を下側から噴射する。これにより、保持部によって保持された横向きの姿勢の靴において、アッパ部分の全体に洗浄液を満遍なく浴びせることによってアッパ部つまり靴の外を洗浄でき、はき口から靴の内部空間に入り込んだ洗浄液によって当該内部空間つまり靴の中も洗浄でき、収納室の天井に当たって落下する洗浄液によって靴底つまり靴の裏側も洗浄できる。そのため、靴をブラシなどで擦らなくても、ノズルから噴射された洗浄液によって、傷みが生じないように靴の全体を満遍なく洗浄できる。
また、第１ノズルは、回転部材と回転することによって広い範囲に洗浄液を噴射できるので、靴に接近した状態であっても、靴の全体に洗浄液を満遍なく浴びせることができる。そのため、第１ノズルを靴に接近させて配置することによって、収納室を小さく抑えることができるので、靴洗浄装置全体の一層のコンパクト化を図れる。
【００１２】
また、本発明によれば、回転部材から上側へ延びる延設部において靴底よりも上側の部分に設けられた第２ノズルが、回転部材と一体回転することによって収納室内の靴の靴底における広い範囲に洗浄液を上側から噴射できるので、靴底を効果的に洗浄できる。
【００１３】
また、本発明によれば、複数設けられた第２ノズルの位置および洗浄液の噴射角度が第２ノズル毎に異なるので、形状や大きさの異なる靴底であっても、回転する複数の第２ノズルによって様々な方向から噴射された洗浄液を靴底の全体に満遍なく浴びせることができる。そのため、形状や大きさの異なる靴底であっても効果的に洗浄できる。
【００１４】
また、本発明によれば、収納室を上空間と下空間とに仕切る仕切部材が、上空間の靴と下空間の回転部材との間に設けられる。そのため、保持部から不意に外れて落下した靴が回転部材に接触することによって回転部材の回転やノズルからの洗浄液の噴射が阻害されることを防止できる。また、仕切部材は格子状であるので、ノズルから噴射された洗浄液は、仕切部材における格子の目を通過することによって確実に靴に到達できる。よって、仕切部材が存在しても、ノズルから噴射される洗浄液によって靴を確実に洗浄できる。
【００１５】
また、本発明によれば、洗浄液に用いられる洗剤は、界面活性剤を１０質量％以下の割合で含むので、洗浄液の泡立ちを抑えて、洗浄液の泡によるノズルの詰まりを防止でき、泡の抵抗によるノズル回転の抵抗および停止を防止できる。これにより、ノズルからの洗浄液の噴射を継続できるので、洗浄液によって靴を確実に洗浄できる。
【図面の簡単な説明】
【００１６】
【図１】図１は、この発明の実施形態に係る靴洗浄装置の模式的な縦断面右側面図である。
【図２】図２は、図１のＡ−Ａ矢視断面図である。
【図３】図３は、図１のＢ−Ｂ矢視断面図である。
【図４】図４は、第１変形例に係る靴洗浄装置の模式的な縦断面右側面図である。
【図５】図５は、第２変形例に係る靴洗浄装置の模式的な縦断面右側面図である。
【図６】図６は、図５のＣ−Ｃ矢視断面図である。
【図７】図７は、第３変形例に係る靴洗浄装置の模式的な縦断面右側面図である。
【図８】図８は、図７のＤ−Ｄ矢視断面図である。
【図９】図９は、ノズルおよびその周辺の側面図である。
【図１０】図１０は、ノズルおよびその周辺の平面図である。
【図１１】図１１は、変形例に係るノズルおよびその周辺の平面図である。
【発明を実施するための形態】
【００１７】
以下には、図面を参照して、この発明の実施形態について具体的に説明する。図１は、この発明の実施形態に係る靴洗浄装置１の模式的な縦断面右側面図であり、図２は、図１のＡ−Ａ矢視断面図であり、図３は、図１のＢ−Ｂ矢視断面図である。以下では、図１の紙面に直交する方向を靴洗浄装置１の左右方向Ｘといい、図１における左右方向を靴洗浄装置１の前後方向Ｙといい、図１における上下方向を靴洗浄装置１の上下方向Ｚという。左右方向Ｘは、図１の紙面における奥側に相当する左側Ｘ１と、図１の紙面における手前側に相当する右側Ｘ２とを含む。前後方向Ｙは、図１の左側に相当する前側Ｙ１と、図１の右側に相当する後側Ｙ２とを含む。上下方向Ｚは、図１の上側に相当する上側Ｚ１と、図１の下側に相当する下側Ｚ２とを含む。左右方向Ｘおよび前後方向Ｙは、水平方向に含まれ、上下方向Ｚは、垂直方向つまり鉛直方向と同じである。
【００１８】
図１を参照して、靴洗浄装置１は、略直方体のボックス状の外観を有する。靴洗浄装置１は、その外殻をなす筐体２と、筐体２内に設けられた収納室３、仕切部材４、保持部５、噴射機構６、ノズル７、ダクト８、送風部９および加熱部１０とを含む。説明の便宜上、図１および図１以降の各図では、筐体２だけが、ハッチングが付された断面図として図示され、筐体２以外の各部材は、側面図として図示される。
【００１９】
筐体２は、前壁１５と、後壁１６と、左壁１７（図２参照）と、右壁１８（図２参照）と、底壁１９と、天壁２０とを含む。前壁１５および後壁１６は、前後方向Ｙに一致した板厚方向を有して上下方向Ｚに沿う略矩形の板状に形成され、前後方向Ｙに間隔を隔てて対向配置される。
【００２０】
前壁１５には、その前側面の全域を覆うカバー２１が設けられる。カバー２１は、前壁１５とは別の部品であってもよいし、前壁１５の一部であってもよい。カバー２１の前側面において、例えば上端部には、使用者によって操作されるボタンなどで構成された操作部２２が設けられる。前壁１５の上端部において操作部２２よりも下側Ｚ２の位置には、前壁１５およびカバー２１の両方を前後方向Ｙに貫通した排気口２３が形成される。排気口２３には、例えばメッシュなどで構成されたシート状のフィルタ部材２４が設けられる。図１では、フィルタ部材２４は、排気口２３の前端、後端および途中のそれぞれに１つずつ、合計で３つ設けられる。なお、排気口２３の途中に設けられたフィルタ部材２４は、前壁１５とカバー２１との境界に位置する。
【００２１】
後壁１６の上端部には、蛇口（図示せず）につながった給水路２５が設けられる。詳しくは、給水路２５において蛇口側とは反対側の一端部２５Ａが、後壁１６の上端部を前後方向Ｙに貫通し、一端部２５Ａの前端には、後壁１６から前側Ｙ１にはみ出して前側Ｙ１を向いた給水口２５Ｂが形成される。一端部２５Ａの途中には、開閉可能な給水弁２６が設けられる。後壁１６の前側面には、間隔をあけて給水口２５Ｂに前側Ｙ１から対向する板状の対向部２７が取り付けられる。なお、左右方向Ｘにおける給水口２５Ｂおよび対向部２７の位置が、図示の便宜上、図２と図３とで異なる。
【００２２】
左壁１７および右壁１８は、左右方向Ｘに一致した板厚方向を有して上下方向Ｚに沿う略矩形の板状に形成され、左壁１７は、前壁１５および後壁１６の左端間に架設され、右壁１８は、前壁１５および後壁１６の右端間に架設される（図２参照）。筐体２の上端部には、前壁１５、後壁１６、左壁１７および右壁１８のそれぞれの上端部によって囲まれた略矩形状の出入口２Ａが形成される。また、筐体２の上面には、前壁１５の上端面の後端縁部、後壁１６の上端面の前端縁部、左壁１７の上端面の右端縁部および右壁１８の上端面の左端縁部のそれぞれに沿って一段下がった段差部２Ｂが形成される。段差部２Ｂは、水平方向に沿った平坦面であり、上側Ｚ１から見た平面視において出入口２Ａを取り囲む略矩形の額縁状に形成される。
【００２３】
底壁１９は、上下方向Ｚに一致した板厚方向を有して水平方向に沿った略矩形の板状に形成され、底壁１９の四辺のそれぞれは、左壁１７、右壁１８、前壁１５および後壁１６のいずれかの下端に接続される（図３も参照）。底壁１９の下面の四隅には、靴洗浄装置１が載置される床面に接触する脚部２８が１つずつ設けられる。底壁１９の上面におけるほとんどの領域は、水平方向に沿った平坦面であるが、当該上面の略前半分の領域には、下側Ｚ２に窪んだ第１凹部１９Ａおよび第２凹部１９Ｂが前後方向Ｙに並んで形成される。第１凹部１９Ａおよび第２凹部１９Ｂは、平面視において略矩形状に形成されるが、第１凹部１９Ａが第２凹部１９Ｂよりも左右方向Ｘに長手であり、第２凹部１９Ｂは、左右方向Ｘにおける第１凹部１９Ａの中央部に後側Ｙ２から連続して配置される（図２参照）。第１凹部１９Ａの底面１９Ｃおよび第２凹部１９Ｂの底面１９Ｄは、水平方向に沿った略矩形の平坦面である。第２凹部１９Ｂが第１凹部１９Ａよりも深いので、底面１９Ｄは、底面１９Ｃよりも下側Ｚ２にずれて配置される。平面視における底面１９Ｄの中央には、底壁１９において下側Ｚ２に窪んだ凹状の洗浄・排出用穴１９Ｅが形成される。洗浄・排出用穴１９Ｅには、例えばメッシュなどで構成されたシート状のフィルタ部材２９が設けられる。
【００２４】
底壁１９内には、排水路３０が設けられる。排水路３０の一端は、洗浄・排出用穴１９Ｅの下端部に対して前側Ｙ１から接続され、排水路３０の他端は、排水口３０Ａとして、例えば後壁１６を後側Ｙ２へ貫通して筐体２の外、つまり、靴洗浄装置１の機外へ引き出される。排水路３０は、洗浄・排出用穴１９Ｅ側の一端から折れ曲がって下側Ｚ２へ延びた後に折れ曲がって後側Ｙ２へ延び、その後、上側Ｚ１へ折れ曲がって後側Ｙ２へ折れ曲がってから排水口３０Ａまで延びる。
【００２５】
天壁２０は、上下方向Ｚに一致した板厚方向を有して水平方向に沿う略矩形の板状に形成される。平面視における天壁２０の外周部は、筐体２の段差部２Ｂに上側Ｚ１から載り、天壁２０は、出入口２Ａを上側Ｚ１から塞ぐ。天壁２０の外周部の下面には、下側Ｚ２へ突出したパッキン３１が設けられ、天壁２０の外周部と段差部２Ｂとの上下方向Ｚの隙間は、パッキン３１によって塞がれる。天壁２０において後側Ｙ２へ偏った位置には、左右方向Ｘに延びる回動軸３２が設けられ、天壁２０は、回動軸３２よりも後側Ｙ２の支持部２０Ａと、回動軸３２よりも前側Ｙ１の蓋部２０Ｂとに分割される。支持部２０Ａの位置は固定され、蓋部２０Ｂは、回動軸３２を介して支持部２０Ａによって支持され、回動軸３２まわりに上下に回動可能である。図１に示すように水平方向に沿った姿勢の蓋部２０Ｂは、閉位置にあって出入口２Ａを上側Ｚ１から塞ぎ、閉位置から上側Ｚ１へ回動させたときの蓋部２０Ｂ（図示せず）は、開位置にあって出入口２Ａを上側Ｚ１へ開放する。
【００２６】
収納室３は、前壁１５および後壁１６によって前後方向Ｙから挟まれて左壁１７および右壁１８によって左右方向Ｘから挟まれて底壁１９および天壁２０によって上下方向Ｚから挟まれた略直方体状の空間であって、靴洗浄装置１の内部空間を構成する。底壁１９の上面における第１凹部１９Ａおよび第２凹部１９Ｂは、収納室３の一部である。
【００２７】
仕切部材４は、格子状に形成される。仕切部材４として、例えば樹脂製や金属製の格子の他に、針金などの線材で構成された網などを用いてもよい。いずれの場合においても、仕切部材４の全域には、その格子の目として仕切部材４を上下方向Ｚに貫通した多数の貫通穴４Ａが形成される。仕切部材４は、上下方向Ｚにおける収納室３の中央よりも下側Ｚ２に偏った位置において水平方向に沿って配置されることによって、収納室３を、仕切部材４よりも上側Ｚ１の上空間３Ａと、仕切部材４よりも下側Ｚ２の下空間３Ｂとに仕切る。上空間３Ａは、靴洗浄装置１での洗浄対象である一足の靴Ｓを、余裕を持って収納できる広さを有する。下空間３Ｂは、上下方向Ｚにおいて上空間３Ａよりも小さい。上空間３Ａの上端部には、前壁１５の排気口２３が前側Ｙ１から直接連通し、後壁１６に設けられた給水路２５の給水口２５Ｂが後側Ｙ２から直接連通した状態にある、
【００２８】
保持部５は、一足の靴Ｓに応じて、２つ設けられる。２つの保持部５は、上空間３Ａにおいて左右方向Ｘに並んで配置される（図２参照）。各保持部５は、後壁１６において仕切部材４に上側Ｚ１から隣接した部分から略水平に前側Ｙ１へ延びた根元部５Ａと、根元部５Ａの前端から前上側へ傾斜して延びた途中部５Ｂと、途中部５Ｂの前端から前上側へ傾斜して延びた先端部５Ｃとを一体的に含む。保持部５は、線材によって網目状の筒体として構成されるので、保持部５の全体は、多数の隙間５Ｄを有する枠状に形成される。
【００２９】
噴射機構６は、流路３５と、支持軸３６と、回転部材３７と、延設部３８と、ポンプ３９とを含む。流路３５は、前述した洗浄・排出用穴１９Ｅの下端部に対して後側Ｙ２から接続された一端部３５Ａと、一端部３５Ａおよび第２凹部１９Ｂのそれぞれよりも後側Ｙ２において上側Ｚ１へ延びる他端部３５Ｂとを有し、底壁１９内において一端部３５Ａから他端部３５Ｂの下端へ向けて後側Ｙ２へ略水平に延びる。支持軸３６は、上下方向Ｚに延びる円管状に形成される。支持軸３６の下端部３６Ａは、底壁１９内において他端部３５Ｂの真上に配置され、支持軸３６において下端部３６Ａよりも上側Ｚ１の部分は、下端部３６Ａよりも一段大径であって、底壁１９から上側Ｚ１へ突出し、下空間３Ｂに配置される。支持軸３６の上端部には、水平方向に張り出した鍔状の支持部３６Ｂが設けられる。流路３５の他端部３５Ｂと、支持軸３６の下端部３６Ａとは、ホース４０を介して連結されてもよいし、直接連結されてもよい。
【００３０】
回転部材３７は、水平方向に延びる中空の棒状に形成され、下空間３Ｂに配置される。回転部材３７の長手方向における中央部３７Ａには、その下面から下側Ｚ２に突出した円筒状の突出部３７Ｂが形成される。突出部３７Ｂが、支持軸３６の上端部に対して上側Ｚ１から挿通され、当該上端部における支持部３６Ｂが、中央部３７Ａに対して下側Ｚ２から対向する。また、中央部３７Ａの下面において突出部３７Ｂを取り囲むように設けられた環状の係合部３７Ｄが下側Ｚ２から支持部３６Ｂに係合する。この状態の回転部材３７は、支持軸３６によって上下方向Ｚにおいて位置決めされた状態で支持され、支持軸３６まわり、詳しくは鉛直に延びる回転軸線Ｊまわりに横回転可能である。以下では、回転軸線Ｊまわりの周方向を周方向Ｔといい、回転軸線Ｊを中心とする径方向を径方向Ｒという。径方向Ｒは、回転部材３７の長手方向と一致する。径方向Ｒのうち、回転軸線Ｊから離れる側を径方向外側Ｒ１といい、回転軸線Ｊに近付く側を径方向内側Ｒ２という。
【００３１】
延設部３８は、回転部材３７の中央部３７Ａから天壁２０の手前へ向けて上側Ｚ１へ延びる円管状に形成され、延設部３８のほとんどは、上空間３Ａに配置される。なお、前述した仕切部材４は、延設部３８を避けて配置される。延設部３８の中心軸線は、回転部材３７の回転軸線Ｊと一致する。延設部３８の上端部３８Ａは、左右に並ぶ保持部５の間を通って、各保持部５の先端部５Ｃよりも上側Ｚ１に配置される。延設部３８の内部は、回転部材３７の内部に上側Ｚ１から連通した状態にあるが、上端部３８Ａの上端面によって上側Ｚ１から塞がれた状態にある。延設部３８は、回転部材３７と一体回転可能である。
【００３２】
ポンプ３９は、回転するインペラ（図示せず）を内蔵する渦巻ポンプなどであり、流路３５の途中、詳しくは、流路３５において他端部３５Ｂへ向けて上側Ｚ１へ折れ曲がった部分に設けられる。また、前述した排水路３０の途中、詳しくは排水口３０Ａの手前で後側Ｙ２に折れ曲がった部分が、このポンプ３９内において流路３５を避けた部分を通る。具体的に、ポンプ３９は、水を吸い込んで吐出する内部流路３９Ａを２つ内蔵し、一方の内部流路３９Ａが流路３５の一部をなし、他方の内部流路３９Ａが排水路３０の一部をなす。ポンプ３９は、その動作を切り替えることによって、２つの内部流路３９Ａのうちの一方だけに水を流したり、両方に水を流したりすることができる。
【００３３】
ノズル７は、回転部材３７に設けられた第１ノズル７Ａと、延設部３８に設けられた第２ノズル７Ｂとを含む。第１ノズル７Ａは、複数存在して回転部材３７の長手方向に沿って並び、回転部材３７の上面部における中央部３７Ａの両側において、中央部３７Ａを挟んで対称となるように同数ずつ（ここでは４つずつ）配置される。回転部材３７の上面部には、上側Ｚ１へ膨出したドーム状の膨出部３７Ｃがノズル７と同数設けられ、各第１ノズル７Ａは、各膨出部３７Ｃに１つずつ形成され、回転部材３７の内部に連通した状態にある。なお、これらの第１ノズル７Ａのうち、回転部材３７の長手方向における両端に位置する一対の第１ノズル７Ｃのそれぞれでは、少なくとも一部が、周方向Ｔにおける一方側を向いた状態にある。
【００３４】
第２ノズル７Ｂは、複数（ここでは３つ）存在し、延設部３８の上端部３８Ａに配置される。上下方向Ｚおよび周方向Ｔの少なくとも一方についての各第２ノズル７Ｂの位置は、第２ノズル７Ｂ毎に異なる。また、第２ノズル７Ｂの向きは、第２ノズル７Ｂ毎に異なる。延設部３８の外周面には、径方向外側Ｒ１へ膨出したドーム状の膨出部３８Ｂが第２ノズル７Ｂと同数設けられ、各第２ノズル７Ｂは、各膨出部３８Ｂに１つずつ形成され、延設部３８の内部に連通した状態にある。
【００３５】
ダクト８は、底壁１９の前端部において底壁１９内を上側Ｚ１へ延びてから折れ曲がって前側Ｙ１へ延び、さらに折れ曲がって前壁１５内を上側Ｚ１へ延びる。ダクト８の下端は、底壁１９の前端部の下面から機外に露出された吸気口８Ａであり、ダクト８の上端は、前壁１５の後側面において仕切部材４よりも上側Ｚ１の位置から上空間３Ａ内に連通した流出口８Ｂである。吸気口８Ａには、前述したフィルタ部材２４と同様のフィルタ部材４１が設けられる。前壁１５の後側面には、間隔をあけて流出口８Ｂに後側Ｙ２から対向する板状の対向部４２が取り付けられる。
【００３６】
送風部９は、いわゆるファンであり、例えばダクト８内において底壁１９に固定されたモータ４５と、ダクト８内において吸気口８Ａを上側Ｚ１から臨む位置に配置された回転羽根４６とを含む。モータ４５は、下側Ｚ２へ突出した出力軸４７を有する。回転羽根４６は、複数設けられ、出力軸４７から放射状に広がるように出力軸４７の下端部に固定される。加熱部１０は、電熱線などで構成されたヒータであって、下空間３Ｂ内において、例えば底壁１９の第１凹部１９Ａの底面１９Ｃ上に配置される。
【００３７】
筐体２において、例えば前壁１５内には、マイクロコンピュータなどで構成された制御部５０が設けられる。制御部５０は、配線（図示せず）によって、操作部２２、送風部９、加熱部１０、給水弁２６およびポンプ３９のそれぞれに対して電気的に接続される。そのため、制御部５０は、使用者による操作部２２の操作を受け付けたり、送風部９、加熱部１０およびポンプ３９の動作を制御したり、給水弁２６を開閉したりすることができる。
【００３８】
次に、靴洗浄装置１において実行される靴Ｓの洗浄運転について説明する。洗浄運転は、洗剤が混じった洗浄液によって靴Ｓを洗う洗い工程と、洗い工程後に靴Ｓをすすぐすすぎ工程と、すすぎ工程の後に靴Ｓから水分を取り除く脱液工程とを含む。
【００３９】
洗浄運転の開始に先立って、使用者は、蓋部２０Ｂを開位置まで開いて、一足の靴Ｓを収納室３の上空間３Ａに収納する。その際、使用者は、それぞれの保持部５の先端部５Ｃを、靴Ｓのはき口ＳＨに下側Ｚ２から挿通した後に、つま先ＳＴ側を向くように靴Ｓの内部空間ＳＮに挿入する。これにより、上空間３Ａ内では、一足の靴Ｓが左右方向Ｘに並び、それぞれの保持部５は、靴Ｓを水平になった横向きの姿勢で保持する。横向きの姿勢の靴Ｓでは、つま先ＳＴが前側Ｙ１を向き、靴底ＳＺが上側Ｚ１を向き、足の甲を覆うアッパ部分ＳＵとはき口ＳＨとが下側Ｚ２を向いた状態にある。なお、横向きの姿勢の靴Ｓは、靴底ＳＺが水平方向に沿った水平状態にあってもよいし、図１に示すようにつま先ＳＴがかかとＳＫよりも上側Ｚ１にずれるように水平方向に対して若干傾いた略水平状態にあってもよい。
【００４０】
靴Ｓが上空間３Ａに配置された状態において、収納室３の下空間３Ｂに配置された回転部材３７は、収納室３内において靴Ｓよりも下側Ｚ２に配置される。また、収納室３を上空間３Ａと下空間３Ｂとに上下に仕切る仕切部材４は、収納室３内において靴Ｓと回転部材３７との間に設けられる。図１に示すように前後方向Ｙに長手になった状態にある回転部材３７の上面部では、前端部が、各靴Ｓのつま先ＳＴと前後方向Ｙにおいてほぼ同じ位置にあり、後端部が、各靴ＳのかかとＳＫと前後方向Ｙにおいてほぼ同じ位置にある。そして、回転部材３７の上面部に設けられた各第１ノズル７Ａは、各靴Ｓにおいてつま先ＳＴ、アッパ部分ＳＵ、はき口ＳＨおよびかかとＳＫが位置する表部分を下側Ｚ２から臨んだ状態にある。一方、延設部３８は、上空間３Ａ内における左右の靴Ｓの間を通り、延設部３８の上端部３８Ａは、これらの靴Ｓの靴底ＳＺよりも上側Ｚ１に位置する。上端部３８Ａに設けられた各第２ノズル７Ｂは、各靴Ｓの靴底ＳＺを上側Ｚ１から臨んだ状態にある。
【００４１】
以上のように靴Ｓを収納室３の上空間３Ａに収納した使用者は、蓋部２０Ｂを閉位置まで閉じて収納室３を密閉した後に、操作部２２を操作することによって、靴洗浄装置１に対して洗浄運転の開始を指示する。すると、制御部５０は、洗い工程を開始して、給水弁２６を開く。このとき、制御部５０は、ポンプ３９を停止することによって、少なくとも排水路３０がポンプ３９において遮断された状態を維持する。すると、蛇口（図示せず）からの水、厳密には水道水が、給水路２５を通って給水口２５Ｂから前側Ｙ１へ流出し、その際に対向部２７にぶつかることによって落下し、仕切部材４の貫通穴４Ａを通って収納室３の下空間３Ｂに溜まる。つまり、靴洗浄装置１では、下空間３Ｂへの給水が行われ、下空間３Ｂは、水槽として機能する。
【００４２】
下空間３Ｂの水面Ｗが回転部材３７よりも低い所定水位まで達すると、制御部５０は、給水弁２６を閉じて給水を停止する。給水の前後のタイミングに使用者によって洗剤が収納室３に投入されたり、給水に際に給水路２５に接続された洗剤収容室（図示せず）に収容された洗剤が水道水に乗ったりする。これによって、下空間３Ｂには、水道水に洗剤が溶けることで生成された洗浄液が溜まる。給水が停止された直後では、下空間３Ｂ内の洗浄液の一部は、排水路３０および流路３５のそれぞれにおいてポンプ３９と洗浄・排出用穴１９Ｅとの間の上流側領域にも行き渡った状態にある。なお、筐体２の前壁１５では、排気口２３にフィルタ部材２４が配置され、ダクト８の流出口８Ｂに対して対向部４２が対向配置されるので、収納室３で跳ねた水道水や洗浄液が排気口２３から機外に漏れたり、流出口８Ｂからダクト８内に浸入したりすることが防止される。
【００４３】
次に、制御部５０は、洗浄液による靴Ｓの洗浄を開始するために、排水路３０がポンプ３９において引き続き遮断された状態を維持しつつ、流路３５の洗浄液がポンプ３９を通過できるようにポンプ３９を駆動させる。このように洗浄用として機能するポンプ３９によって、下空間３Ｂの洗浄液は、流路３５を流れて支持軸３６内を上昇し、回転部材３７内に行き渡る。すると、回転部材３７において一列に並ぶ複数の第１ノズル７Ａのうち、回転部材３７の長手方向における両端に位置する各第１ノズル７Ｃから、周方向Ｔにおける一方側へ向けて洗浄液が噴射される（図２の太線矢印を参照）。これにより、回転部材３７が、周方向Ｔの推力を受けるので、延設部３８を伴って回転軸線Ｊまわりに回転する。このとき、靴Ｓを保持した左右の保持部５は、延設部３８から左右方向Ｘでほぼ等しい間隔を隔てて配置されるので、各靴Ｓは、回転中の延設部３８に接触しない程度に延設部３８から離れて配置される（図２参照）。
【００４４】
回転中の回転部材３７内における洗浄液は、太い１点鎖線の矢印で示すように、回転部材３７における各第１ノズル７Ａから上空間３Ａ内の各靴Ｓの表部分に向けて下側Ｚ２から噴射される（図３も参照）。また、回転部材３７内の洗浄液は、回転する延設部３８内を上昇し、太い２点鎖線の矢印で示すように、延設部３８の上端部３８Ａにおける各第２ノズル７Ｂから各靴Ｓの靴底ＳＺに向けて上側Ｚ１から噴射される（図３も参照）。なお、各ノズル７から噴射される洗浄液（太い１点鎖線および２点鎖線の矢印を参照）は、実際には、広がりながら靴Ｓに接近する。
【００４５】
洗浄液が噴射された靴Ｓは、高圧噴射の勢いによって泥などの汚れが除去されたり、洗浄液によって汚れが化学的に分解されたりすることによって洗浄される。特に、回転中の回転部材３７の各第１ノズル７Ａから噴射された洗浄液は、横向きの姿勢の各靴Ｓにおける外をなす表部分の隅々、つまり、つま先ＳＴ、アッパ部分ＳＵ、はき口ＳＨおよびかかとＳＫのそれぞれに対して満遍なく浴びせられる。これにより、そのため、表部分の形状の異なる様々な靴Ｓであっても、靴Ｓの表部分の全域はもちろん、はき口ＳＨから内部空間ＳＮ内に入り込んだ洗浄液によって内部空間ＳＮつまり靴Ｓの中の全域も洗浄できる。また、各第１ノズル７Ａから噴射された後に収納室３の天井である天壁２０に当たって落下する洗浄液の先には靴底ＳＺつまり靴Ｓの裏側が存在する。さらに、延設部３８の上端部３８Ａにおける各第２ノズル７Ｂが、延設部３８と一体回転することによって各靴Ｓの靴底ＳＺにおける広い範囲に洗浄液を上側Ｚ１から噴射できる。これらの洗浄液により、靴底ＳＺの全域を効果的に洗浄できる。以上により、靴Ｓをブラシなどで擦らなくても、ノズルから噴射された高圧の洗浄液によって、靴Ｓをブラシなどで擦り洗いする場合と同等の洗浄力を維持しつつ、傷みが生じないように靴Ｓの内外の全体を満遍なく洗浄できる。
【００４６】
なお、靴Ｓの内部空間ＳＮに挿入された保持部５は、多数の隙間５Ｄを有する枠状なので、各第１ノズル７Ａからはき口ＳＨに向かう洗浄液は、保持部５によって流れを阻害されずに、はき口ＳＨから内部空間ＳＮ内へ円滑に流入できるし、流入後にははき口ＳＨから靴Ｓの外へ円滑に流出できる。さらに、横向きの姿勢の靴Ｓが、つま先ＳＴがかかとＳＫよりも上側Ｚ１にずれるように若干傾いた略水平状態にあるので、内部空間ＳＮ内の洗浄液をはき口ＳＨから靴Ｓの外へ一層円滑に流出させることができる。
【００４７】
また、前述したように、延設部３８における各第２ノズル７Ｂの位置が、第２ノズル７Ｂ毎に異なる。さらに、延設部３８における各第２ノズル７Ｂの向きが第２ノズル７Ｂ毎に異なるので、各第２ノズル７Ｂにおける水平方向に対する洗浄液の噴射角度αも、第２ノズル７Ｂ毎に異なる。このように第２ノズル７Ｂの位置および洗浄液の噴射角度αが第２ノズル７Ｂ毎に異なるので、形状や大きさの異なる靴底ＳＺであっても、回転する複数の第２ノズル７Ｂによって様々な方向から噴射された洗浄液を靴底ＳＺの全体に満遍なく浴びせることができる。そのため、形状や大きさの異なる靴底ＳＺであっても効果的に洗浄できる。なお、複数の第２ノズル７Ｂによって靴底ＳＺへ向けて様々な方向から洗浄液を噴射できるのであれば、位置および噴射角度αの一方だけが第２ノズル７Ｂ毎に異なってもよい。
【００４８】
また、洗浄液に用いられる洗剤は、石鹸成分である界面活性剤を通常の半分以下の１０質量％以下の割合で含む低発泡洗剤であることが好ましい。この場合、洗浄液の泡立ちを抑えて、洗浄液の泡による各ノズル７の詰まりを防止でき、泡の抵抗によるノズル回転の抵抗および停止を防止できる。これにより、各ノズル７からの洗浄液の噴射を継続できるので、洗浄液によって靴Ｓを確実に洗浄できる。また、低発泡洗剤を用いれば、洗い工程における洗浄液の泡が回転部材３７の回転抵抗となることによる洗浄力の低下や、すすぎ工程での泡残りによるすすぎ性能の低下も抑制できる。なお、靴洗浄装置１に限らず、ブラシなどで靴Ｓを擦り洗いする他の構成の靴洗浄装置においても、低発泡洗剤を用いることによって洗浄力およびすすぎ性能の低下を抑制できるというメリットが得られる。
【００４９】
また、洗い工程において、制御部５０は、加熱部１０をＯＮにして下空間３Ｂの洗浄液を加熱してもよい。この場合には、各ノズル７から靴Ｓに浴びせられた温かい洗浄液によって洗浄力を高めることができるので、靴Ｓを一層効果的に洗浄できる。
【００５０】
また、収納室３内において靴Ｓと回転部材３７との間に仕切部材４が設けられるので、保持部５から不意に外れて落下した靴Ｓや、この靴Ｓの靴紐（図示せず）などが回転部材３７に接触することによって回転部材３７の回転や各ノズル７からの洗浄液の噴射が阻害されることを防止できる。また、仕切部材４は格子状であるので、各ノズル７から噴射された洗浄液は、仕切部材４における格子の目である各貫通穴４Ａを通過することによって確実に靴Ｓに到達できる。よって、仕切部材４が存在しても、各ノズル７から噴射される洗浄液によって靴Ｓを確実に洗浄できる。
【００５１】
洗い工程では、各ノズル７から上空間３Ａ内の靴Ｓに噴射された後に靴Ｓからこぼれた洗浄液や、各ノズル７から上空間３Ａ内に噴射されたものの靴Ｓにかからなかった洗浄液は、仕切部材４の各貫通穴４Ａを通って下空間３Ｂ内に落下し、下空間３Ｂに回収される。洗い工程では、ポンプ３９が引き続き駆動されるので、下空間３Ｂに回収された洗浄液は、洗浄・排出用穴１９Ｅから流路３５を流れて回転部材３７および延設部３８の各ノズル７から上空間３Ａ内へ噴射される。これによって、洗浄液は、上空間３Ａと下空間３Ｂとの間で循環する。そのため、少ない洗浄液でも、循環させて繰り返し使用することによって靴Ｓを洗浄できる。また、噴射液の噴射によって靴Ｓから取り除かれた小石などの異物は、下空間３Ｂ内の洗浄・排出用穴１９Ｅにおけるフィルタ部材２９によって捕獲されるので、この異物が洗浄液とともに循環してノズル７を詰まらせるような不具合を防止できる。
【００５２】
制御部５０は、洗浄液の循環を所定時間継続した後に、排水路３０の洗浄液がポンプ３９を通過できるようにポンプ３９の動作を切り換える。これにより、下空間３Ｂ内における洗浄液の水位が低くても、排水用として機能するポンプ３９によって、下空間３Ｂの洗浄液が、排水路３０を通って機外へ強制的に排出される。その後、制御部５０は、ポンプ３９を停止させる。これによって、洗い工程が終了する。
【００５３】
洗い工程が終了すると、制御部５０は、すすぎ工程を開始して、再び給水を実行して水道水を下空間３Ｂに溜める。給水によって下空間３Ｂ内の水面Ｗが回転部材３７よりも低い所定水位まで達すると、制御部５０は、ポンプ３９を駆動させることによって、水道水をすすぎ水として上空間３Ａと下空間３Ｂとの間で循環させ、回転部材３７および延設部３８の各ノズル７から上空間３Ａ内の靴Ｓにすすぎ水が高圧で噴射する。すると、収納室３内の靴Ｓがすすぎ水によってすすがれる。この際、制御部５０は、加熱部１０をＯＮにして下空間３Ｂのすすぎ水を加熱してもよい。この場合には、各ノズル７から温かいすすぎ水を靴Ｓに浴びせることによって、靴Ｓを効果的にすすぐことができる。
【００５４】
制御部５０は、このようなすすぎ水の循環を所定時間継続した後に、排水路３０の水がポンプ３９を通過できるようにポンプ３９の動作を切り換える。これにより、下空間３Ｂのすすぎ水が排水路３０を通って機外へ排出される。その後、制御部５０は、ポンプ３９を停止させる。これによって、すすぎ工程が終了する。
【００５５】
洗浄工程の後、制御部５０は、送風部９を駆動させて回転羽根４６を回転させることによって、脱液工程を開始する。これにより、機外の空気が、筐体２の底壁１９の吸気口８Ａからダクト８内に取り込まれる。ダクト８内に取り込まれた空気は、回転羽根４６の回転によって流出口８Ｂへ向かい、流出口８Ｂから収納室３内に送り込まれる。
【００５６】
収納室３内に送り込まれた空気は、回転羽根４６によって加圧された高圧の状態で、上空間３Ａ内の各靴Ｓの外面に浴びせられたり、はき口ＳＨから靴Ｓの内部空間ＳＮに流入したりすることによって、靴Ｓから洗浄液などの水分を染み出させる。染み出た水分は、靴Ｓからこぼれ落ちる。そのため、ダクト８からの空気を各靴Ｓに浴びせることによって、洗浄後の靴Ｓを効果的に脱液できる。収納室３内に送り込まれた空気は、最終的に、筐体２の前壁１５の排気口２３から機外へ排出される。その際、空気に含まれる埃などの異物は、排気口２３におけるフィルタ部材２４によって捕獲される。なお、脱液工程において、制御部５０は、加熱部１０をＯＮにして収納室３内に熱風を発生させもよい。この場合、熱風によって靴Ｓを一層効果的に脱液できる。
【００５７】
回転羽根４６の回転が開始されてから所定時間が経過すると、制御部５０は、送風部９を停止させて、脱液工程を終了する。これにより、洗浄運転が終了する。なお、制御部５０は、脱液工程の最後にポンプ３９を駆動させて、脱液工程の際に靴Ｓからこぼれ落ちた水分を機外に排出してもよい。洗浄運転の終了後には、使用者は、蓋部２０Ｂを開いて、洗浄後の靴Ｓを収納室３から取り出す。
【００５８】
以上のように、この靴洗浄装置１では、最初に靴Ｓを収納室３に収納して保持部５に保持させると、その後は、収納室３内で靴Ｓを移動させなくても、一連の洗浄運転を実施できる。また、靴洗浄装置１では、保持部５によって収納室３内の靴Ｓを横向きの姿勢で保持するので、靴Ｓが縦向きの姿勢で保持される場合と比べて収納室３の高さ寸法を小さく抑えることができるので、靴洗浄装置１全体のコンパクト化を図れる。さらに、回転部材３７および延設部３８の各ノズル７は、回転することによって広い範囲に洗浄液やすすぎ水を噴射できるので、靴Ｓに接近した状態であっても、靴Ｓの全体に洗浄液を満遍なく浴びせることができる。そのため、各ノズル７を靴Ｓに接近させて配置することによって、収納室３を小さく抑えることができるので、靴洗浄装置１全体の一層のコンパクト化を図れる。また、洗い工程やすすぎ工程において洗浄液やすすぎ水を上空間３Ａと下空間３Ｂとの間で常に循環させる場合には、下空間３Ｂにおいて洗浄液やすすぎ水を溜めるための容量を小さく抑えることができるので、この点でも、靴洗浄装置１全体のコンパクト化を図れる。ただし、洗い工程において洗浄液を循環させながら靴Ｓに噴射する場合には、靴Ｓに浴びせられる洗浄液では、洗い時間の経過とともに泡の量が多くなることによって、噴射される洗浄液の勢いが低下する虞があるので、靴洗浄装置１では、加熱部１０によって洗浄液を加熱して洗剤の洗浄効果を引き出したり、洗浄液用の洗剤における界面活性剤の割合を１０質量％以下に設定したりすることによって、洗浄時の泡による洗浄力の低下の抑制が図られる。
【００５９】
この発明は、以上に説明した実施形態に限定されるものではなく、請求項に記載の範囲内において種々の変更が可能である。
【００６０】
図４は、第１変形例に係る靴洗浄装置１の模式的な縦断面右側面図である。図４において、図１〜図３で説明した部分と同一の部分には同一番号を付して、当該部分についての説明は省略する（後述する図５〜図１１においても同様）。前述したポンプ３９は、２つの内部流路３９Ａを有することによって洗浄用と排水用とを兼ねる（図１参照）。しかし、第１変形例のように、ポンプ３９は、洗浄用の流路３５の一部をなす内部流路３９Ａを１つだけ有することによって洗浄専用として機能してもよく、排水路３０の途中には、排水専用のポンプ６０が別途設けられてもよい。第１変形例では、洗浄液やすすぎ水の循環中において、洗浄・排出用穴１９Ｅの下部に沈殿した泥水をポンプ６０によって積極的に排水できるので、洗浄用のポンプ３９が泥水を吸い込むことによって損傷することを抑制できる。第１変形例は、前述した実施形態に限らず、以降の他の変形例にも適用できる。
【００６１】
図５は、第２変形例に係る靴洗浄装置１の模式的な縦断面右側面図である。図６は、図５のＣ−Ｃ矢視断面図である。第２変形例に係る靴洗浄装置１では、噴射機構６が、延設部３８の代わりに、分岐路７０を含む。分岐路７０は、支持軸３６において下空間３Ｂに露出された部分から後側Ｙ２へ延びる根元部分７０Ａと、根元部分７０Ａの後端部から上側Ｚ１へ延びる縦部分７０Ｂと、縦部分７０Ｂの上端部から左右方向Ｘにおける両外側へ延びる横部分７０Ｃと、左右方向Ｘにおける横部分７０Ｃの両端部のそれぞれから１つずつ前側Ｙ１へ延びる左右一対の延設部７０Ｄとを含む。分岐路７０の全体の位置は、収納室３内で固定された状態にある。左右一対の延設部７０Ｄのうち、左側Ｘ１の延設部７０Ｄは左側Ｘ１の保持部５の真上に位置し、右側Ｘ２の延設部７０Ｄは右側Ｘ２の保持部５の真上に位置する（図６参照）。
【００６２】
各延設部７０Ｄには、例えば３つの第２ノズル７Ｂが前後方向Ｙに並んで設けられ、下側Ｚ２を臨んで設けられる。左側Ｘ１の保持部５が靴Ｓを横向きの姿勢で保持した状態では、左側Ｘ１の延設部７０Ｄにおける３つの第２ノズル７Ｂが、この靴Ｓの靴底ＳＺを上側Ｚ１から臨む（図６参照）。右側Ｘ２の保持部５が靴Ｓを横向きの姿勢で保持した状態では、右側Ｘ２の延設部７０Ｄにおける３つの第２ノズル７Ｂが、この靴Ｓの靴底ＳＺを上側Ｚ１から臨む（図６参照）。各延設部７０Ｄにおける３つの第２ノズル７Ｂのうち、前端に位置する第２ノズル７Ｂは、靴Ｓの前端部の真上に位置し、後端に位置する別の第２ノズル７Ｂは、靴Ｓの後端部の真上に位置することが好ましい。洗い工程の開始に伴ってポンプ３９が駆動されると、下空間３Ｂから流路３５を経由して支持軸３６内を上昇する洗浄液の一部は、分岐路７０に分岐して各延設部７０Ｄに到達し、太い２点鎖線の矢印で示すように、各延設部７０Ｄの各第２ノズル７Ｂから上空間３Ａ内の靴Ｓの靴底ＳＺに上側Ｚ１から噴射される。つまり、分岐路７０は、支持軸３６内を上昇する洗浄液の一部を靴底ＳＺ側にバイパスさせる。
【００６３】
図７は、第３変形例に係る靴洗浄装置１の模式的な縦断面右側面図である。図８は、図７のＤ−Ｄ矢視断面図である。第３変形例に係る靴洗浄装置１では、天壁２０の下面部において上空間３Ａ内の各靴Ｓの靴底ＳＺの真上の領域に、下側Ｚ２へ突出しつつ前後方向Ｙに沿って延びるリブ状のガイド部７５が設けられる。ガイド部７５は、各靴Ｓの靴底ＳＺの真上に例えば３つずつ設けられ、左右に並んで平行に配置される（図８参照）。各ガイド部７５の前端部は、靴Ｓのつま先ＳＴのほぼ真上に位置し、各ガイド部７５の後端部は、靴ＳのかかとＳＫのほぼ真上に位置することが好ましい。洗い工程において各ノズル７から噴射されて天壁２０に届いた洗浄液の返り水は、天壁２０の下面部が平坦な場合には、天壁２０の下面部を伝って前後左右にばらけて靴底ＳＺに落下しない虞がある。しかし、ガイド部７５を設けることによって、返り水は、各靴Ｓの靴底ＳＺの真上で落下するように各ガイド部７５によってガイドされる。これにより、返り水を靴底ＳＺに集中して浴びせて靴底ＳＺを効果的に洗浄することができる。すすぎ工程では、すすぎ水の返り水を各ガイド部７５によって靴底ＳＺに集中して浴びせて靴底ＳＺを効果的にすすぐことができる。第３変形例は、前述した実施形態や他の変形例にも適用できる。
【００６４】
また、前述した実施形態や第１〜第３実施例において、ノズル７からの洗浄液やすすぎ水を靴Ｓにおける狙った位置に浴びせられるように、回転部材３７および延設部３８のそれぞれにおけるノズル７の穴形状を変更してもよい。例えば、回転部材３７に形成された第１ノズル７Ａの場合において、第１ノズル７Ａの穴形状は、回転部材３７の長手方向に直交する方向に沿って長手の楕円形状であってもよいし（図９および図１０参照）、回転部材３７の長手方向に傾斜する方向に沿って長手であってもよい（図１１参照）。また、第１ノズル７Ａの穴形状が、第１ノズル７Ａ毎に異なってもよい。
【００６５】
また、靴洗浄装置１は、前述した実施形態や各変形例では単独の装置として存在するが、洗濯機などのランドリ機器において前後方向Ｙに引き出し可能に組み込まれてもよい。その場合、靴洗浄装置１では、給水路２５がランドリ機器の給水路に接続されて、排水路３０がランドリ機器の排水路に接続されてもよい。また、靴洗浄装置１の制御部５０は、ランドリ機器の制御部から指示を受けることによって洗浄運転を実行してもよい。なお、靴洗浄装置１がランドリ機器の下部や上部に配置されることを想定した場合には、前述したように靴洗浄装置１がコンパクトに構成されるので、ランドリ機器の高さ寸法を小さく抑えることができる。
【００６６】
また、ダクト８や下空間３Ｂや排水路３０や流路３５などの形状、大きさおよびレイアウトは、任意に変更可能である。また、送風部９や加熱部１０の位置も変更可能である。また、排水路３０や流路３５は、底壁１９内に形成されるのではなく、ホースなどによって構成された単独の部品として存在してもよい。この場合の排水路３０や流路３５は、底壁１９内に予め形成された空洞（図示せず）内において自由なレイアウトで配置される。
【００６７】
また、回転部材３７を回転させる推力を発生させるための第１ノズル７Ｃは、回転部材３７の長手方向における両端に位置する第１ノズル７Ａだけでなくてもよく、他の第１ノズル７Ａであってもよい。
【００６８】
また、排水路３０の途中に、制御部５０によって開閉が制御されて排水時に開く排水弁（図示せず）が設けられてもよい。
【符号の説明】
【００６９】
１      靴洗浄装置
３      収納室
３Ａ    上空間
３Ｂ    下空間
４      仕切部材
５      保持部
７Ａ    第１ノズル
７Ｂ    第２ノズル
３７    回転部材
３８    延設部
３８Ａ  上端部
Ｊ      回転軸線
Ｓ      靴
ＳＺ    靴底
Ｚ１    上側
Ｚ２    下側
α      噴射角度
【図１】
2017221503.tif 000003
【図２】
2017221503.tif 000004
【図３】
2017221503.tif 000005
【図４】
2017221503.tif 000006
【図５】
2017221503.tif 000007
【図６】
2017221503.tif 000008
【図７】
2017221503.tif 000009
【図８】
2017221503.tif 000010
【図９】
2017221503.tif 000011
【図１０】
2017221503.tif 000012
【図１１】
2017221503.tif 000013